(57)【要約】【課題】水栓本体に取り替え自在に接続できる可撓管引き出し用ホルダの取付構造を提供すること。【解決手段】水栓本体４に連設された供給管３とシャワヘッド５とを接続する可撓管７を引き出し可能に保持する筒状のホルダ６の取付構造であって、水栓本体４に設けた可撓管挿通用の開口部１１に連通する連通穴１３を有する排水ガイド１２を介して前記ホルダ６を水栓本体４に取り替え自在に接続してある。【選択図】        図２
2004162479.tif 000002
【特許請求の範囲】
【請求項１】
水栓本体に連設された供給管とシャワヘッドとを接続する可撓管を引き出し可能に保持する筒状のホルダの取付構造であって、水栓本体に設けた可撓管挿通用の開口部に連通する連通穴を有する排水ガイドを介して前記ホルダを水栓本体に取り替え自在に接続してあることを特徴とする可撓管引き出し用ホルダの取付構造。
【請求項２】
前記ホルダは、斜め上方を向いた状態で水栓本体に接続されるとともに、前記排水ガイドは、前記ホルダの上流端部に内嵌した状態で前記ホルダと共に前記可撓管挿通用の開口部に接続され、更に、前記ホルダのがたつきを防止するがたつき防止手段を有するとともに、前記排水ガイドは、前記ホルダの内周面を伝わって可撓管挿通用の開口部側に至る湯水混合水または水をシールする手段を有する請求項１に記載の可撓管引き出し用ホルダの取付構造。
【発明の詳細な説明】
【０００１】
【発明の属する技術分野】
この発明は、可撓管引き出し用ホルダの取付構造に関する。
【０００２】
【従来の技術および発明が解決しようとする課題】
本出願人は、水栓本体の筒状ホルダから可撓管と共に引き出されるシャワヘッド（特願２００１−３１５８３４号明細書、図面参照）を提案しているが、水栓本体に、異なる長さおよび／または異なる形状の筒状ホルダを自由に取り替えできることが望まれている。
【０００３】
この発明はこのような実情を考慮に入れてなされたものであって、水栓本体に取り替え自在に接続できる可撓管引き出し用ホルダの取付構造を提供することを目的としている。
【０００４】
【課題を解決するための手段】
すなわち、この発明は、水栓本体に連設された供給管とシャワヘッドとを接続する可撓管を引き出し可能に保持する筒状のホルダの取付構造であって、水栓本体に設けた可撓管挿通用の開口部に連通する連通穴を有する排水ガイドを介して前記ホルダを水栓本体に取り替え自在に接続してある。
【０００５】
【発明の実施の形態】
図１〜図６は、洗面台に設置される洗髪シャワのシャワヘッドと共に引き出される可撓管を保持する筒状のホルダに適用されるこの発明の一実施形態を示す。
【０００６】
図１〜図６において、１は、洗髪シャワを備えた湯水混合水栓で、洗面台の取付面部に形成してある一つの貫通穴に挿入された取付足２ｂを固定した状態で取付面部上に設置されている。前記水栓１は、給湯管および給水管から流入する湯および水を適宜混合して湯水混合水をフレキシブルホースである供給管３に供給する湯水混合水栓本体（胴）４と、この水栓本体４から供給される湯水混合水や水を直放水の状態あるいは散水の状態に切替えて吐水する樹脂製のシャワヘッド５と、このシャワヘッド５と供給管３とを継手部材８を介して接続し、使用時には前記水栓本体４の筒状ホルダ６から引き出される可撓管７とを有している。この可撓管７は、螺旋形状を持つステンレス鋼帯７ａの内面に樹脂製部材７ｂを固着してなるラセンホースで、前記水栓本体４からの供給流路ｉを形成する。
【０００７】
前記筒状ホルダ６は、可撓管７を引き出し可能に保持するためのものである。前記筒状ホルダ６は金属製であり、斜め上方を向いた状態で水栓本体４の前面部に形成された可撓管挿通用の開口部１１に接続されている。可撓管挿通用の開口部１１の内壁面Ｗの形状は適宜設定されるが、湾曲面を持つ形状のものが好ましく、また、図４（Ａ）に示すように、前記開口部１１の開口端Ｋは、正面視縦長のほぼ楕円形状が好ましい。
【０００８】
９は、前記水栓本体４の内部に設けた弁機構で、セラミック製の固定ディスク９ａとこの固定ディスク９ａの上面に摺動可能に載置されるセラミック製の可動ディスク９ｂを備えている。１０は、可動ディスク９ｂに連動連結された操作部材で、この操作部材１０の操作によって、止水状態と吐水状態の切替操作と湯水混合水の温度調整ならびに湯水混合水や水の流量調整が行われる。前記水栓本体４は、金属製で、楕円体の長軸Ａの方向における両端を切り取ってなる外観形状を有する。
【０００９】
以下、特徴的構成について説明する。
１２は、前記筒状ホルダ６の上流端部Ｍに内嵌する形状を持つ例えば樹脂製の排水ガイドである。この排水ガイド１２は、リング状で、水栓本体４に設けた前記可撓管挿通用の開口部１１に連通する連通穴１３を有し、筒状ホルダ６の上流端部Ｍに内嵌した状態で筒状ホルダ６と共に前記可撓管挿通用の開口部１１に後述する接続手段によって接続される。排水ガイド１２が嵌込まれる（内嵌する）前記上流端部Ｍは、上側部分Ｍ’’と下側部分Ｍ’で構成される。
【００１０】
前記筒状ホルダ６の下流側開口６ａは、正面視円形であるが、筒状ホルダ６の上流側開口６ｂは、前記可撓管挿通用の開口部１１に内嵌可能な形状をしている。また、筒状ホルダ６は、前記上側部分Ｍ’’に、上流端部Ｍの端面Ｌ〔図５（（Ａ）参照〕に沿う形で複数のネジ挿通孔１４，１５，１６を有する。そして、筒状ホルダ６は、筒状ホルダ６に内嵌する上流端部Ｍのうち、下側部分Ｍ’の直下流側に、ネジ挿通孔１４，１５，１６が下方側から見渡せる大きさの下方開口２０を有する。すなわち、下方開口２０は、前記ネジ挿通孔１４，１５，１６の形成領域の直下に位置する。
【００１１】
一方、筒状ホルダ６の上流端部Ｍを可撓管挿通用の開口部１１内に嵌込んだときに、前記ネジ挿通孔１４，１５および１６にそれぞれ連通するよう、可撓管挿通用の開口部１１は、内壁面Ｗにおける上部Ｗ１  を斜め上方で水栓本体４の背面側に向かって穿設してなるネジ孔１４’，１５’および１６’をネジ挿通孔１４，１５および１６に対応する位置に有する。
【００１２】
また、排水ガイド１２を筒状ホルダ６の上流端部Ｍ内に嵌込んだときに、前記ネジ挿通孔１４，１５および１６にそれぞれ連通するよう、排水ガイド１２は、ネジ挿通孔１４，１５および１６に対応する位置にネジ挿通孔孔１４’’，１５’’および１６’’を有する。
【００１３】
１９ａは、排水ガイド１２を筒状ホルダ６の上流端部Ｍに内嵌した状態で筒状ホルダ６を可撓管挿通用の開口部１１に内嵌した後、筒状ホルダ６の前記下方開口２０から、排水ガイド１２のネジ挿通孔孔１５’’および筒状ホルダ６のネジ挿通孔１５を通って可撓管挿通用の開口部１１のネジ孔１５’に至るホルダ固定用の締付けネジである。同様に、図３に示すように、１９ｂは、可撓管挿通用の開口部１１のネジ孔１６’に至るホルダ固定用の締付けネジであり、１９ｃは、可撓管挿通用の開口部１１のネジ孔１４’に至るホルダ固定用の締付けネジである。
【００１４】
そして、筒状ホルダ６の上流端部Ｍに排水ガイド１２が内嵌した状態で筒状ホルダ６と共に排水ガイド１２を前記可撓管挿通用の開口部１１に接続するための前記接続手段が、ネジ挿通孔孔１４’’，１５’’および１６’’、ネジ挿通孔１４，１５および１６、ネジ孔１４’，１５’および１６’、下方開口２０、ならびに、ホルダ固定用の締付けネジ１９ｃ，１９ａ，１９ｂとから構成される。
【００１５】
次に、筒状ホルダ６のがたつきを防止するがたつき防止手段について説明する。
【００１６】
前記可撓管挿通用の開口部１１は、前記水栓本体４の前面側に複数のネジ孔１７，１８を有する。すなわち、可撓管挿通用の開口部１１は、前記開口端Ｋの近傍で、開口端Ｋの直下の外壁面Ｅから前記内壁面Ｗにおける下部Ｗ２  へ前記水栓本体４を貫通してなる複数の前記ネジ孔１７，１８を有する。
【００１７】
前記ネジ孔１７および１８にそれぞれ螺合するネジ２１および２２は、各先端２１ａ，２２ａが筒状ホルダ６の上流端部Ｍの下側部分Ｍ’を外側から圧接するまで締付けられる。このように、そのため、筒状ホルダ６の上面側を可撓管挿通用の開口部１１に接続するだけでは筒状ホルダ６ががたつくが、筒状ホルダ６の下面側をネジ２１および２２の先端２１ａおよび２２ａでそれぞれ圧接するので、筒状ホルダ６のがたつきを防止できる。図５（Ｄ）における点Ｒ，Ｓはネジ２１，２２の先端２１ａ，２２ａの圧接位置を示す。
【００１８】
次に、筒状ホルダ６の内周面を伝わって可撓管挿通用の開口部側に至る湯水混合水または水をシールする手段について説明する。
【００１９】
前記排水ガイド１２は、Ｏリング３０が嵌込まれる環状溝３１を外周面に有する。そして、このＯリング３０が可撓管挿通用の開口部１１の前記内壁面Ｗを圧接することから、筒状ホルダ６の内周面を伝わって可撓管挿通用の開口部側に至る湯水混合水または水をシールすることができる。
【００２０】
したがって、この発明では、図７に示すように、水栓本体４に、上記実施形態で用いた筒状ホルダ６よりも長い形状の筒状ホルダ６’や、異なる形状の筒状ホルダを容易に取り替えできる利点を有する。なお、図７において、図１〜図６で示した符号と同一のものは同一または相当物である。
【００２１】
【発明の効果】
以上詳述したようにこの発明では、水栓本体に取り替え自在に接続できる可撓管引き出し用ホルダの取付構造を提供できる効果がある。
【図面の簡単な説明】
【図１】この発明の一実施形態における使用状態を示す構成説明図である。
【図２】上記実施形態において要部を分解して示す構成説明図である。
【図３】上記実施形態におけ取り付け状態を説明するための図である。
【図４】（Ａ）は、上記実施形態で用いた水栓本体を示す正面図である。
（Ｂ）は、上記実施形態で用いた水栓本体を示す縦断面図である。
【図５】（Ａ）は、上記実施形態で用いた筒状のホルダを示す平面図である。
（Ｂ）は、上記実施形態で用いた筒状のホルダを示す縦断面図である。
（Ｃ）は、上記実施形態で用いた筒状のホルダの上流側を示す斜視図である。
（Ｄ）は、上記実施形態で用いた筒状のホルダを示す底面図である。
【図６】（Ａ）は、上記実施形態で用いた排水ガイドの横断面図である。
（Ｂ）は、上記実施形態で用いた排水ガイドを示す縦断面図である。
（Ｃ）は、上記実施形態で用いた排水ガイドを示す背面図である。
【図７】この発明の他の実施形態における使用状態を示す構成説明図である。
【符号の説明】
３…供給管、４…水栓本体、５…シャワヘッド、６…筒状のホルダ、７…可撓管、１１…可撓管挿通用の開口部、１２…排水ガイド、１３…連通穴。
【図１】
2004162479.tif 000003
【図２】
2004162479.tif 000004
【図３】
2004162479.tif 000005
【図４】
2004162479.tif 000006
【図５】
2004162479.tif 000007
【図６】
2004162479.tif 000008
【図７】
2004162479.tif 000009